(57)【要約】【課題】パネル型スピーカ及びパネル型レシーバを用いた電子機器において、高い防水性を有する電子機器を提供する。【解決手段】  開口を有する筐体と、開口を塞いで配置されるパネル型スピーカの振動板であるパネルと、筐体とパネルとの間に配置され、パネルを筐体に対して振動可能に保持する中空状のチューブと、パネルを振動させる振動部材とを備え、筐体とパネルとで構成される空間の内部を防水領域とした。【選択図】図４
2011087208.tif 000002
【特許請求の範囲】
【請求項１】
開口を有する筐体と、
当該開口を塞いで配置されるパネル型スピーカの振動板であるパネルと、
前記筐体と前記パネルとの間に配置され、前記パネルを前記筐体に対して振動可能に保持する中空状のチューブと、
前記パネルを振動させる振動部材と、を備え、
前記筐体と前記パネルとで構成される空間の内部を防水領域としたことを特徴とする電子機器。
【請求項２】
前記チューブは、内部に不活性ガスを充填してなる請求項１に記載の電子機器。
【請求項３】
前記チューブと前記筐体とが、第１の接着部材により接着され、
前記チューブと前記パネルとが、第２の接着部材により接着される請求項１に記載の電子機器。
【請求項４】
前記チューブの内部には、金属部材が配置されている請求項１に記載の電子機器。
【請求項５】
前記金属部材は、アンテナの一部を構成するとともに、
前記金属部材は、前記筐体から前記チューブの内部に連通する金属配線に接続されている請求項４に記載の電子機器。
【請求項６】
前記振動部材は、前記チューブの内部で、且つ前記第２の接着部材の被着領域に対応する領域に配置され、
前記金属部材は、前記振動部材との電気信号の伝達機能を備える請求項４に記載の電子機器。
【請求項７】
前記金属部材は、前記チューブの内面に被着されている請求項４乃至請求項６のいずれかに記載の電子機器。
【請求項８】
前記チューブ内部の不活性ガスは、窒素ガスである請求項２に記載の電子機器。
【請求項９】
前記チューブの前記第１の接着部材或いは前記第２の接着部材との接触領域には、当該チューブの延在方向に沿って溝が形成されているとともに、
当該溝の内部に、前記第１の接着部材或いは前記第２の接着部材が入り込んでいる請求項１に記載の電子機器。
【請求項１０】
前記第１の接着部材或いは第２の接着部材は、前記チューブの側面まで延在されている請求項３に記載の電子機器。
【発明の詳細な説明】
【技術分野】
【０００１】
本発明は、パネル型スピーカもしくはパネル型レシーバを用いた防水機能付の電子機器に関する。
【背景技術】
【０００２】
近来、携帯電話のような電子機器においては、液晶表示部のような表示装置の保護用に設けられた透明なパネルをスピーカもしくはレシーバの振動板であるパネルとして用いるパネル型スピーカもしくはパネル型レシーバが多く用いられてきている。
そして、このようなパネル型スピーカもしくはパネル型レシーバを、防水機能を有する端末に用いることも検討されている。例えば、先行技術文献１に示すように、パネル型スピーカもしくはパネル型レシーバを用いるに際し、防水シートを用いて水の浸入を防止する技術が提案されている。
【先行技術文献】
【特許文献】
【０００３】
【特許文献１】特開２００７−２７９２３号公報
【発明の概要】
【発明が解決しようとする課題】
【０００４】
しかしながら、上述の技術では、パネル型スピーカ及びパネル型レシーバを用いた電子機器において、防水性が十分保てないという課題が想定される。
【課題を解決するための手段】
【０００５】
本発明は、開口を有する筐体と、当該開口を塞いで配置されるパネル型スピーカの振動板であるパネルと、前記筐体と前記パネルとの間に配置され、前記パネルを前記筐体に対して振動可能に保持するチューブと、前記パネルを振動させる振動部材と、を備え、前記筐体と前記パネルとで構成される空間の内部を防水領域としている。
【発明の効果】
【０００６】
本発明によれば、上記構成により、パネルの振動を良好なものにしつつ、従来に比較して防水性を向上させることができる。
【図面の簡単な説明】
【０００７】
【図１】携帯電話機１を開いた状態における外観斜視図を示す。
【図２】操作部側筐体２に内蔵される部材の分解斜視図である。
【図３】表示部側筐体３に内蔵される部材の分解斜視図である。
【図４】パネル型スピーカの取り付け構造を示す断面図である。
【図５】図４の部分拡大断面図である。
【図６】携帯電話機１における回路構成を説明するブロック図である。
【発明を実施するための形態】
【０００８】
以下、図面を参照して本発明を実施するための最良の形態を説明する。
まず、電子機器の一例としての携帯電話機１における基本構造を説明する。
図１に示すように、携帯電話機１は、第１筐体としての操作部側筐体２と、第２筐体としての表示部側筐体３と、を備える。操作部側筐体２は、第１面としての操作部側内面２Ａと、操作部側内面２Ａと反対側の操作部側外面２Ｂとを備える。表示部側筐体３は、第２面としての表示部側内面３Ａと、表示部側内面３Ａと反対側の第３面としての表示部側外面３Ｂとを備える。
【０００９】
操作部側筐体２と表示部側筐体３とは、ヒンジ機構を備える連結部４を介して連結される。具体的には、操作部側筐体２の上端部と表示部側筐体３の下端部とは、連結部４を介して連結される。
【００１０】
連結部４は、いわゆる２軸ヒンジ機構を備える。連結部４は、操作部側筐体２と表示部側筐体３とを開閉可能に連結すると共に、表示部側筐体３を操作部側筐体２に対して表裏を反転させることができる。
【００１１】
連結部４は、表示部側筐体３が操作部側筐体２に対して第１相対位置としての閉位置に配置され操作部側内面２Ａと表示部側内面３Ａとが互いに離間して配置される開状態と、表示部側筐体３が操作部側筐体２に対して第２相対位置としての開位置に配置され操作部側内面２Ａと表示部側内面３Ａとが互いに近接した状態で積層配置される閉状態とに変形可能に操作部側筐体２と表示部側筐体３とを開閉軸Ｒを中心に開閉可能に連結する。
【００１２】
連結部４は、開状態において、操作部側筐体２に対して表示部側筐体３が開閉軸Ｒと交差する回転軸Ｓを中心に回転可能に操作部側筐体２と表示部側筐体３とを連結する。
【００１３】
連結部４は、表示部側筐体３が操作部側筐体２に対して操作部側内面２Ａと表示部側内面３Ａとが互いに近接した状態で積層配置される第１閉状態と、表示部側筐体３部が操作部側筐体２に対して操作部側内面２Ａと表示部側外面３Ｂとが互いに近接した状態で積層配置される第２閉状態とに変形可能に操作部側筐体２と表示部側筐体３とを連結する。
【００１４】
これにより、携帯電話機１は、連結部４を介して連結された操作部側筐体２と表示部側筐体３とを相対的に動かすことが可能に構成される。
【００１５】
携帯電話機１は、操作部側筐体２と表示部側筐体３とが互いに離間した開状態と、操作部側筐体２と表示部側筐体３とが折り畳まれて積層配置された開状態とにすることができる。
【００１６】
また、携帯電話機１は、開状態において、表示部側筐体３における表裏を切り替えるように変形可能である。携帯電話機１は、開状態において、操作部側内面２Ａと表示部側内面３Ａとが同じ側を向く第１開状態と、操作部側内面２Ａと表示部側内面３Ａとが異なる側を向く第２開状態とに変形可能である。
【００１７】
また、携帯電話機１は、閉状態において、操作部側内面２Ａと表示部側内面３Ａとが互いに近接した状態で積層配置される第１閉状態と、操作部側内面２Ａと表示部側外面３Ｂとが互いに近接した状態で積層配置される第２閉状態とに変形可能である。
【００１８】
操作部側筐体２は、外面がフロントケース２ａとリアケース２ｂとにより構成される。操作部側筐体２は、フロントケース２ａ側（操作部側内面２Ａ側）に、操作キー群１１と、携帯電話機１の使用者が通話時に発した音声が入力されるマイクとしてのマイク１２とがそれぞれ露出するように構成される。
【００１９】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。操作キー群１１を構成する各キーそれぞれには、操作部側筐体２と表示部側筐体３との開閉状態や各種モード、或いは起動されているアプリケーション等の種類に応じて所定の機能が割り当てられる（キー・アサイン）。そして、使用者が各キーを押圧することにより、各キーに割り当てられている機能に応じた動作が実行される。
【００２０】
マイク１２は、操作部側筐体２の長手方向における連結部４側と反対の外端部側に配置される。つまり、マイク１２は、携帯電話機１が開状態において一方の外端部側に配置される。
【００２１】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキーと、外部メモリの挿入及び取り出しが行われるインターフェース（図示せず）とが配置される。インターフェースは、キャップにより覆われている。各インターフェースは、不使用時にはキャップにより覆われる。
【００２２】
表示部側筐体３は、外面がフロントパネル３ａと、フロントケース３ｂと、リアケース３ｃと、リアパネル３ｄとにより構成される。表示部側筐体３には、表示部側内面３Ａに各種情報を表示するためのパネル型スピーカ２１が配置されている。
【００２３】
パネル型スピーカ２１は、パネル型スピーカ２１と、このパネル型スピーカ２１を駆動する駆動回路と、このパネル型スピーカ２１の背面側から光を照射するバックライト等の光源部と、パネル型スピーカを音声信号に基づいて振動させるアクチュエータ１２６と、パネル型スピーカ２１を支持するチューブ１２４等から構成される。このパネル型スピーカ２１と筐体の構造等については、後述する。
【００２４】
また、操作部側筐体２におけるパネル型スピーカ２１の上方（図１において）に対応する部分の内部には、後述するループアンテナ１００が配置される。
【００２５】
次いで、図２、図３により、操作部側筐体２及び表示部側筐体３の内部構造について説明する。
図２に示すように、操作部側筐体２は、フロントケース２ａと、キー構造部４０と、キー基板５０と、ケース体６０と、基準電位パターン層７５及び携帯電話機用のＲＦ（Ｒａｄｉｏ  Ｆｒｅｑｕｅｎｃｙ）モジュール等の各種電子部品を備える回路基板７０と、外部の基地局を介した無線通信用のメインアンテナ部９０と、開状態においてループを形成するループアンテナ１００と、バッテリリッド２ｃを備えたリアケース２ｂと、バッテリ８０とを備える。
【００２６】
フロントケース２ａとリアケース２ｂとは、互いの凹状の内側面が向き合うように配置され、互いの外周縁が重なり合うようにして結合され、互いの外周縁を接着することにより密閉される。また、フロントケース２ａとリアケース２ｂとの間には、キー構造部４０と、キー基板５０と、ケース体６０と、回路基板７０と、メインアンテナ部９０と、ループアンテナ１００とが挟まれるようにして内蔵される。
【００２７】
フロントケース２ａには、携帯電話機１を折り畳んだ閉状態で表示部側筐体３のパネル型スピーカ２１と対向する内側面（操作部側内面２Ａ）に、キー孔１３ａ、１４ａ、１５ａが形成される。キー孔１３ａ、１４ａ、１５ａそれぞれからは、機能設定操作キー１３を構成する機能設定操作キー部材１３ｂの押圧面、入力操作キー１４を構成する入力操作キー部材１４ｂの押圧面、及び決定操作キー１５を構成する決定操作キー部材１５ｂの押圧面が露出される。この露出した機能設定操作キー部材１３ｂ、入力操作キー部材１４ｂ及び決定操作キー部材１５ｂの押圧面を押し下げるように押圧することで、対応するキースイッチ５１、５２、５３それぞれに設けられる後述のメタルドーム（椀状形状）の頂点が押圧され、スイッチ端子に接触して電気的に導通する。
【００２８】
キー構造部４０は、操作部材４０Ａと、補強部材としてのキーフレーム４０Ｂと、シート部材としてのキーシート４０Ｃと、により構成される。そして、キーシート４０Cの周縁部が、フロントケース２ａの下面に強く押圧されることにより、筐体内部の機密性が保持される。
【００２９】
操作部材４０Ａは、複数のキー操作部材により構成される。具体的には、機能設定操作キー部材１３ｂと、入力操作キー部材１４ｂと、決定操作キー部材１５ｂとにより構成される。操作部材４０Ａを構成する各操作キー部材それぞれは、後述するキーフレーム４０Ｂを挟んでキーシート４０Ｃに接着される。キーシート４０Ｃに接着された各操作キー部材それぞれにおける押圧面は、キー孔１３ａ、１４ａ、１５ａそれぞれから外部に露出して配置される。
【００３０】
キーフレーム４０Ｂは、孔部１４ｃが複数形成されたＳＵＳ３０３等の耐食性の金属板状部材である。キーフレーム４０Ｂは、入力操作キー部材１４ｂの押圧による回路基板７０等への悪影響を防ぐための補強部材である。キーフレーム４０Ｂに形成される複数の孔部１４ｃには、後述するキーシート４０Ｃに形成される凸部１４ｄが嵌合するように配置される。そして、この凸部１４ｄに入力操作キー部材１４ｂが接着される。
【００３１】
キーシート４０Ｃは、可撓性を有するシリコンゴム製のシート状部材である。キーシート４０Ｃには、上述の通り、複数の凸部１４ｄが形成される。複数の凸部１４ｄは、キーシート４０Ｃにおけるキーフレーム４０Ｂが配置される側の面に形成される。この複数の凸部１４ｄそれぞれは、後述するキースイッチ５２に対応する位置に形成される。
【００３２】
キー基板５０は、キーシート４０Ｃ側の面である第１面５０ａに配置される複数のキースイッチ５１、５２、５３を有する。複数のキースイッチ５１、５２、５３、それぞれは、各操作部材４０Ａに対応する位置に配置される。キー基板５０に配置されるキースイッチ５１、５２、５３は、椀状に湾曲して立体的に形成された金属板のメタルドームを有する構造になっている。メタルドームは、その椀状形状の頂点が押圧されると、キー基板５０の表面に印刷された電気回路（図示せず）に形成されるスイッチ端子に接触して電気的に導通するように構成される。また、キー基板５０における第２面５０ｂ側には、複数の電極配線が形成される。
【００３３】
図２に示すように、ケース体６０は、薄型の直方体における一の広い面が開口した形状を有する導電性の部材である。ケース体６０は、平板部６１における開口側の面に略垂直に形成されるリブ６２を有する。リブ６２は、回路基板７０に実装される各種電子部品のうち最も高さのある電子部品の高さと同等又はそれよりも十分に高くなるよう形成される。リブ６２は、平板部６１の周縁及び内側に基準電位部を構成する基準電位パターン層７５に対応するように形成される。具体的には、ケース体６０が回路基板７０に載置された状態で、基準電位パターン層７５上に配置されるようにリブ６２が形成される。なお、ケース体６０は、金属により形成するほか、骨格を樹脂により形成し、その表面に導体膜を形成したものでもよい。
【００３４】
ケース体６０は、リブの底面が基準電位パターン層７５に当接されることで、該基準電位パターン層７５と電気的に接続される。ケース体６０は、基準電位パターン層７５と電気的に導通して該基準電位パターン層７５と同じ大きさの電位を有するようになる。つまり、ケース体６０は、シールドケースとして機能する。ケース体６０は、シールドケースとして外部からの高周波等のノイズが回路基板７０に配置される各種電子部品に作用するのを抑制すると共に、ＲＦ（Ｒａｄｉｏ  Ｆｒｅｑｕｅｎｃｙ）回路、ＣＰＵ回路、電源回路等から放出されるノイズを遮蔽して、他の電子部品やメインアンテナ部９０に接続される受信回路等に作用することを抑制する。具体的には、ケース体６０におけるリブ６２の底面が基準電位パターン層７５上に配置されることで、後述する各回路はリブ６２により囲われると共に平板部６１の一部により覆われる。リブ６２は、各回路における隔壁として機能し、平板部６１の一部と共に各回路をシールドする。
【００３５】
図２に示すように、回路基板７０には、メインアンテナ部９０が送受信する信号を処理する信号処理部を含む不図示の各種電子部品や回路が配置される。各種電子部品は、所定の組み合わせにより複数の回路ブロックを形成する。例えば、ＲＦ（Ｒａｄｉｏ  Ｆｒｅｑｕｅｎｃｙ）回路、電源回路等を含む各種回路ブロックが形成される。
【００３６】
回路基板７０におけるケース体６０側の第１面７０ａには、上述の各種電子部品のほか、基準電位部を構成する基準電位パターン層７５が形成される。基準電位パターン層７５は、上述の各回路ブロックを区画するように形成される。基準電位パターン層７５は、回路基板７０の第１面７０ａの表面に導電性の部材を所定パターンで印刷することで形成される。
【００３７】
メインアンテナ部９０は、基台上に所定形状のアンテナエレメントが配置されることにより構成さる。メインアンテナ部９０は、携帯電話機１における連結部４側と反対の端部側に配置される。メインアンテナ部９０のアンテナエレメントは、帯状の板金により形成される。また、メインアンテナ部９０は、不図示の給電端子を介して回路基板７０から給電される。これにより、アンテナエレメントは、給電端子を介して回路基板７０から給電されると共に、回路基板７０のＲＦモジュール等と接続される。
【００３８】
図２に示すように、リアケース２ｂの一端側（図２において）には、取り外し可能なバッテリリッド２ｃが設けられている。バッテリリッド２ｃは、バッテリ８０をリアケース２ｂの外側から収納した後、リアケース２ｂに装着される。また、リアケース２ｂにおける一端側には、ユーザの音声を入力する不図示のマイク１２が収容される。
【００３９】
図３に示すように、表示部側筐体３は、フロントパネル３ａと、フロントケース３ｂと、パネル型スピーカ２１と、パネル型スピーカ２１の筐体に内蔵されたプリント基板と、リアケース３ｃと、リアパネル３ｄと、を備える。
【００４０】
表示部側筐体３は、フロントケース３ｂとリアケース３ｃとが、互いの凹状の内側面が向き合うように配置され、互いの外周縁が重なり合うようにして結合され、外周縁同士が接着される。フロントパネル３ａとフロントケース３ｂとの間には、ループアンテナ１００及びＲＦＩＤチップ１１０が配置される。
【００４１】
また、図４、図５に示すように、フロントパネル３ａ、フロントケース３ｂ、リアケース３ｃとで形成された開口３０１には、パネル型スピーカ２１が配置される。
【００４２】
表示部側筐体３の開口３０１は、平面視で周回する段差部を有している。この段差部上に、後述する断面が環状のチューブ１２４の下面を、表示部側筐体３の段差部に固定するための第１の接着部材１２１ａが配置される。また、チューブ１２４の上面には、チューブ１２４の上面とパネル型スピーカの下面とを接着する第２の接着部材１２１ｂが配置される。この第１の接着部材１２１ａおよび第２の接着部材１２１ｂには、例えばゴムを固着することが可能な両面テープや、使用時には液状の樹脂製接着剤が用いられる。なお、ゴム用接着剤としては、例えばクロロブレンゴム或いはニトリルゴム或いはスチレン・プタジエンゴム等のいずれかを主成分とするものが好適である。
これにより、表示部側筐体３とパネル型スピーカ２１との間の防水性を確保できる。
【００４３】
また、チューブ１２４の第１の接着部材１２１ａ或いは第２の接着部材１２１ｂとの接触領域には、当該チューブ１２４の延在方向に沿って溝１２４Ｙが形成されているとよい。
【００４４】
そして、第１の接着部材１２１ａ或いは第２の接着部材１２１ｂが、溝１２４Ｙに入り込むこととなる。これにより、チューブに対する接着効果を増大させることができる。
また、溝１２４Ｙが、チューブ１２４の延在方向に沿って設けられていることにより、第１の接着部材或いは第２の接着部材とチューブとの接着界面の面積が増大し、これにより、水の浸入経路が長大化することとなり、さらに水が浸入しにくくなる。
【００４５】
また、第１の接着部材１２１ａ或いは第２の接着部材１２１ｂは、チューブ１２４の側面まで延在されていてもよい。これによって、さらに接着力や防水性の向上が図れる。
【００４６】
チューブ１２４は、例えばゴムのような、弾性を有し且つ撥水性或いは疎水性の材料からなることが好ましい。これにより、パネル型スピーカ２１の振動を可能とした状態で、表示部側筐体３とパネル型スピーカ２１との間からの水の浸入を防ぐことができる。
【００４７】
また、チューブ１２４は、その断面形状が例えばおおむね矩形状をなしているとよい。平坦な上面及び下面を備えることで、段差部やパネル型スピーカとの接着性がよくなる。
なお、側面は弧状でもよい。
【００４８】
また、チューブ１２４は、内部が空洞になっており、例えば希ガスや窒素ガス等の不活性ガスが充填されている。このような構造により、チューブが筐体に固定されつつ、且つ、パネル型スピーカを保持しつつも、当該パネル型スピーカの振動を可能とすることができる。
【００４９】
また、内部に充填されるガスがすべて空気である場合に比較して、当該内部に金属膜等を形成したとしても、内部に充填されるガスが、不活性ガスである場合は、金属膜等が酸化により腐食しにくい。
【００５０】
また、窒素ガスの場合はゴム分子を通過しにくいことから、チューブ内の気圧が変化しにくく、そのため、パネル型スピーカの振動特性を変化しにくくでき、長期的な使用に適している。
【００５１】
チューブ１２４は、その内部に金属膜からなる回路配線１２５の一部が形成されており、また、後述するパネル型スピーカ２１を振動させる振動部材となるアクチュエータ１２６が配置されている。
【００５２】
回路配線１２５を構成する金属膜は、例えばチューブ１２４となる平板状のゴム材の内面に、ＣＶＤや各種めっき形成法等の膜形成技術により所望のパターンに金属膜を被着させることにより形成される。そして、所望のパターンを形成後、窒素ガス等の不活性ガス雰囲気中で、チューブ１２４が中空状となるように、平板状のゴム材の端部同士が圧着される。なお、窒素ガス等の充填は、チューブ１２４が接着剤１０３Ａにより表示部側筐体３の段差部に固定されてから、ガス充填用の充填用穴を設けることにより行ってもよい。
【００５３】
また、チューブ１２４の下面の一部には、表示部側筐体３の内部に連通する貫通口１２４Ｘが設けられている。貫通口１２４Ｘ内には金属部材が延在して配置される。或いは、金属部材に代えて導電性樹脂を充填してもよい。このような導電性樹脂は、上述した接着部材１２１と主成分が共通していることが好ましい。
【００５４】
回路配線１２５を構成する金属膜は、この金属部材に電気的に接続される。これにより、回路配線１２５は、後述するＬＣＤ制御部４２や音声処理部４３からの信号をパネル型スピーカ２１に伝達したり、アクチュエータ１２６に電力を供給したりすることができる。このように、回路配線１２５をチューブ内に配置したため、チューブ内部の空間を有効に活用でき、機器全体の小型化に寄与できる。
【００５５】
また、チューブ１２４内には、パネル型スピーカ２１を振動させるためのアクチュエータ１２６が配置される。このアクチュエータ１２６は、上述の回路配線１２５を経由して供給される電力により、所望の振動パターンを発生させる。
このように、アクチュエータ１２６をチューブ１２４内に配置したため、チューブ１２４内部の空間を有効に活用でき、装置全体の小型化に寄与できる。
【００５６】
そして、パネル型スピーカの使用時には、チューブ１２４が変形可能に支持されることで音を発することができる。
【００５７】
なお、上述では、チューブ１２４内部に信号伝達用や電力供給用に用いることができる回路配線１２５を配置したが、これに代えて、チューブ内の金属部材を後述するループアンテナ等のアンテナ部材として使用してもよい。
【００５８】
次に、図６により、携帯電話機１の回路構成について説明する。
【００５９】
図６に示すように、携帯電話機１は、操作部側筐体２に配置される無線通信部２００と、入力部としての操作部１０１と、マイク１２と、ＬＣＤ制御部４２と、音声処理部４３と、記憶部としてのメモリ４４と、ＣＰＵ４５と、電源部４６と、制御ＩＣ４７と、表示部側筐体３に配置されるパネル型スピーカ２１と、ドライバＩＣ２５と、ループアンテナ１００と、ＲＦＩＤチップ１１０と、を備える。
【００６０】
無線通信部２００は、所定の使用周波数帯により外部装置と通信を行うメインアンテナ部９０と、変調処理又は復調処理等の信号処理を行う通信処理部２０１と、を備える。
【００６１】
メインアンテナ部９０は、所定の使用周波数帯（例えば、８００ＭＨｚ）で不図示の基地局と通信を行う。メインアンテナ部９０は、所定の使用周波数帯で基地局を介して外部の通信機器と通信を行う。なお、本実施形態では、所定の使用周波数帯として、８００ＭＨｚとしたが、他の周波数帯であってもよい。また、メインアンテナ部９０は、所定の使用周波数帯（第１使用周波数帯）のほかに、第２使用周波数帯（例えば、２ＧＨｚ）に対応できる、いわゆるデュアルバンド対応型による構成であってもよいし、更に、第３の使用周波数帯にも対応できる複数バンド対応型により構成されていてもよい。
【００６２】
通信処理部２０１は、所定の機能部から供給された信号を変調処理しメインアンテナ部９０を介して基地局に送信すると共に、メインアンテナ部９０により受信された信号を復調処理し所定の機能部に供給する。操作部１０１は、操作キー群１１を含んで構成される。
【００６３】
ＬＣＤ制御部４２は、ＣＰＵ４５の制御にしたがって、入力された画像データに対して所定の画像処理を行うと共に、画像処理された画像データをドライバＩＣ２５に出力する。ドライバＩＣ２５は、ＬＣＤ制御部４２から入力された画像データをフレームメモリに蓄えると共に、該フレームメモリに蓄えられた画像データを所定のタイミングでパネル型スピーカ２１に出力する。
【００６４】
パネル型スピーカ２１は、ドライバＩＣ２５から入力されたデータに基づいて、所定の文字や画像を表示する。
【００６５】
メモリ４４は、所定のデータを記憶する。具体的には、メモリ４４は、各種機能を動作させるアプリケーションプログラムや、プロフィール情報や、アドレス帳機能に利用されるアドレス情報等が記憶される。
【００６６】
ＣＰＵ４５は、携帯電話機１の全体を制御する。ＣＰＵ４５は、特に、無線通信部２００と、ＬＣＤ制御部４２と、音声処理部４３に対して所定の制御を行う。
【００６７】
音声処理部４３は、ＣＰＵ４５の制御にしたがって、通信処理部２０１から供給された信号に対して所定の音声処理を行うと共に、音声処理された信号をパネル型スピーカ２１に出力する。パネル型スピーカ２１は、音声処理部４３から供給された信号に基づいてアクチュエータ１２６を振動させて、外部に放音（出力）する。また、音声処理部４３は、ＣＰＵ４５の制御にしたがって、マイク１２から入力された信号に対して所定の処理をすると共に、処理された信号を通信処理部２０１に出力する。通信処理部２０１は、音声処理部４３から入力された信号に所定の処理を行うと共に、処理がされた信号をメインアンテナ部９０に出力する。
【００６８】
電源部４６は、バッテリ８０を有して構成される。バッテリ８０は、所定容量を有するリチウムイオン電池である。制御ＩＣ４７は、電源部４６から供給される電源電圧を所定の電源電圧に変換し、変換後の電源電圧を携帯電話機１における各部（例えば、ＣＰＵ４５等）に供給する。
【００６９】
ループアンテナ１００は、外部に配置されるリーダ・ライタ装置に対して所定距離まで接近した場合、リーダ・ライタ装置から送信される磁界（キャリア周波数（例えば、１３．５６ＭＨｚ）に対して変調されている）を受信する。
【００７０】
ＲＦＩＤチップ１１０は、ループアンテナ１００で受信された信号によって誘起された電力に基づいて所定の電圧を生成する電源回路と、ループアンテナ１００により通信される信号に対して変調処理又は復調処理等の信号処理を行うＲＦ回路と、所定の演算処理を行うＣＰＵと、所定のデータが格納されているメモリと、を備える。
【００７１】
電源回路は、例えば、ＤＣ−ＤＣコンバータにより構成される。
【００７２】
電源回路は、ループアンテナ１００により磁界が受信されることで電磁誘導作用により発生した起電力から所定の電源電圧を生成し、ＲＦ回路と、ＣＰＵと、メモリとに供給する。ＲＦ回路と、ＣＰＵと、メモリとは、電源回路から所定の電源電圧が供給されることにより停止状態から起動状態に移行する。
【００７３】
ＲＦ回路は、ループアンテナ１００を介して供給された信号に対して復調等の信号処理を行い、処理後の信号をＣＰＵに供給する。
【００７４】
ＲＦ回路は、メモリから読み出されたデータに対して変調等の信号処理を行い、ループアンテナ１００を介して外部のリーダ・ライタ装置に送信する。
【００７５】
ＣＰＵは、ＲＦ回路から供給された信号に基づいて、メモリにデータを書き込む、又は、メモリからデータを読み出す。ＣＰＵは、メモリからデータを読み出した場合には、該データをＲＦ回路に供給する。
【００７６】
以上、好適な実施形態について説明したが、本発明は上述した実施形態に限定されることなく種々の形態で実施することができる。例えば、本実施形態において、携帯電子機器として携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００７７】
また、上述の実施形態では、いわゆる２軸ヒンジタイプの携帯電話機１について説明をしているが、これに限定されない。携帯電話機１は、表示部側筐体３部が操作部側筐体２に対して第１相対位置に配置される第１状態及び表示部側筐体３が操作部側筐体２に対して第１相対位置とは異なる第２相対位置に配置される第２状態に変形可能となるように構成されていればよく、例えば、操作部側筐体２と表示部側筐体３との重ね合わせた状態から一方の筐体を一方向にスライドさせるようにしたスライドタイプや、表示部側筐体３を厚さ方向に延びる回転軸を中心に回転可能なサイクロイド（回転）タイプであってもよい。
【００７８】
また、上述の実施形態では、チューブ１２４内部の金属部材が金属膜である例を紹介したが、これに限定されず、例えばフレキシブルプリント基板や各種ケーブルでもよい。さらに、チューブ１２４の下面に貫通口１２４Ｘを設ける例を紹介したが、パネル型スピーカに表示させる信号を伝達するために、チューブ１２４の上面に貫通口を設けてもよい。
【００７９】
或いは、上述の実施例では、チューブの上面及び下面を接着面としたが、これに代えて、チューブの側面を接着面としてもよい。
この場合、アクチュエータ１２６は、チューブ１２４の内部ではなく、表示部側筐体３とパネル型スピーカ２１とで構成される空間の内部で且つ、パネル型スピーカ２１の下面に設けることが好ましい。
【符号の説明】
【００８０】
１          携帯電話機
２          操作部側筐体
２Ａ        操作部側内面
３          表示部側筐体
３Ａ        表示部側内面
３０１      開口
４          連結部
２１      パネル型スピーカ
１２１ａ    第１の接着部材
１２１ｂ    第２の接着部材
１２４      チューブ
１２４Ｙ    溝
１２４Ｘ    貫通口
１２５      回路配線
１２６      アクチュエータ
【図１】
2011087208.tif 000003
【図２】
2011087208.tif 000004
【図３】
2011087208.tif 000005
【図４】
2011087208.tif 000006
【図５】
2011087208.tif 000007
【図６】
2011087208.tif 000008